(57)【要約】  【課題】  ＬＣ並列共振回路１４にＡＦＣ信号を印加し、９０°移相回路１５にＡＦＣ信号を印加したレベル補償用電圧可変容量素子１５（３）を接続し、ＦＳＫ検波出力レベル変化を最小限に抑えるＦＳＫ検波回路を提供する。  【解決手段】  第１入力端と第２入力端間に９０°移相回路１５が接続され、第１入力端ＦＳＫ変調信号が、第２入力端に９０°移相回路１５を通して９０°移相したＦＳＫ変調信号が供給される乗算回路１３と、第２入力端に接続され、セラミックディスクリミネータ１４（１）とＡＦＣ信号が印加されたバラクタダイオード１４（３）とを並列接続したＬＣ並列共振回路１４とを有し、９０°移相回路１５にＡＦＣ信号が印加されたレベル補償用バラクタダイオード１５（３）とコンデンサ１５（４）の並列接続回路が接続される。  【選択図】  図１
2006033584.tif 000002
【特許請求の範囲】
【請求項１】
第１入力端と第２入力端間に９０°移相回路が接続され、前記第１入力端にＦＳＫ変調信号が供給され、前記第２入力端に前記９０°移相回路を通して９０°移相した前記ＦＳＫ変調信号が供給される乗算回路と、前記第２入力端に接続され、セラミックディスクリミネータとＡＦＣ信号が印加されたバラクタダイオードとを並列接続したＬＣ並列共振回路とを有するＦＳＫ検波回路であって、前記９０°移相回路に前記ＡＦＣ信号が印加されるレベル補償用バラクタダイオードとコンデンサとの並列接続回路を接続していることを特徴とするＦＳＫ検波回路。
【発明の詳細な説明】
【技術分野】
【０００１】
本発明は、乗算回路とＬＣ並列共振回路とからなるクワッドラチャ復調器を備えたＦＳＫ（周波数シフトキーイング）検波回路に係り、ＬＣ並列共振回路のダイナミックレンジ（利用信号帯域幅）を拡大させるようにしたＦＳＫ検波回路に関する。
【背景技術】
【０００２】
自動車等の移動車両においては、車両が盗難にあったり、車両内に侵入されて内部の装置が破損されたりするのを防ぐためにドアを施錠するドアロックを設けている。従来、当該ドアロックの施錠あるいは解錠は、エンジン始動のためのキーをキー孔に挿入することによって行っていたが、利便性の面から、キーをキー孔に挿入することなく携帯用送信機のスイッチを操作することによってドアロックの施錠・解錠を行ういわゆるアクティブキーレスエントリー装置が用いられている。さらに近年では、スイッチを操作しなくても所定の携帯用送受信機を持っていて所定の領域に位置すれば、自動的にドアロックの解錠・施錠を行ういわゆるパッシブキーレスエントリー装置が用いられている。
【０００３】
このパッシブキーレスエントリー装置は、車両に搭載される車載用送受信機と、ユーザー等が携帯保持する携帯用送受信機とからなるもので、使用時に、車載用送受信機と携帯用送受信機との間で無線信号を送受信し、その時に送受信した無線信号が正規の信号であれば、車両側の被制御機器に対する所定の制御、例えばドア錠のアンロックが行われ、直ちにその車両を使用できるようにするものであり、一方、送受信した無線信号の一方または双方が正規の信号でなければ、車両側の被制御機器に対する所定の制御、例えばドア錠のアンロックが行われず、直ちに車両の使用ができないものである。
【０００４】
かかるパッシブキーレスエントリー装置の動作時には、始めに、車載用送受信機から一定時間毎に自己の車両に固有のＩＤを含むリクエスト信号が無線送信される。このとき、携帯用送受信機がこのリクエスト信号を受信すると、そのリクエスト信号に含まれる車両のＩＤと既登録されている正規の車両のＩＤとを照合し、それらのＩＤが一致した場合、そのリクエスト信号に応答して自己の携帯用送受信機に固有のＩＤと車両の被制御機器を所定制御する指令信号とを含んだ無線信号（この無線信号はレスポンス信号またはアンサー信号と呼ぶことがある）を無線送信する。この後、車載用送受信機がこの無線信号を受信すると、無線信号に含まれる車載用送受信機のＩＤと既登録されている車載用送受信機のＩＤとを照合し、それらのＩＤが一致した場合、その無線信号から指令信号を抽出し、抽出した指令信号に従って車両側の被制御機器の所定の制御、例えばドア錠のアンロックが行われる。
【０００５】
ところで、キーレスエントリー装置においては、パッシブ動作とアクティブ動作の双方の機能を併せ持つことがより便利であるが、パッシブ動作においては、意図することなくドアの施錠及び解錠が行われるため、車両に接近した位置で動作するのが望まれ、そのために車両側からは通信到達距離が短くなるよう低周波の信号を送信する。一方、アクティブ動作においては、意図した操作を考慮すると、通信到達距離は長いことが望まれ、そのために携帯用送受信機からの送信信号は高周波の信号を送信するのが一般的である。そして、高周波信号を用いた通信においては、高周波の搬送波を信号によって周波数変調したＦＳＫ信号や、振幅変調したＡＳＫ信号を送信する。
【０００６】
ところで、携帯用送受信機から送信される高周波無線信号がＦＳＫ変調信号を含んだものである場合には、車載用送受信機の受信機として、そのＦＳＫ変調信号を受信処理できる受信機、とりわけＦＳＫ検波回路を有する受信機を用いる必要があり、このような受信機の一例としては、特開２００２−２７００４号公報に開示された受信機がある。
【０００７】
ここで、図３は、特開２００２−２７００４号公報に開示された受信機の要部構成を示すブロック図である。
【０００８】
図３に示されるように、この受信機は、受信アンテナ４１と、バンドパスフィルタ（ＢＰＦ）４２と、高周波増幅段（ＲＦ−Ａ）４３と、ミキサ段４４と、局部発振器４５と、中間周波フィルタ（ＩＦ−Ｆ）４６と、リミッタアンプ（ＬＭ−Ａ）４７と、乗算回路４８（１）とＬＣ並列共振回路４８（２）と９０°移相コンデンサ４８（３）とからなるクワッドラチャ検波回路４８と、ローパスフィルタ（ＬＦ）４９と、増幅段（ＡＭＰ）５０と、比較器５１と、利用回路５２とからなっている。この場合、クワッドラチャ検波回路４８は、第１入力端及び第２入力端を持った乗算回路４８（１）と、インダクタ及びキャパシタを並列接続したＬＣ並列共振回路４８（２）と、９０°移相コンデンサ４８（３）とにより構成されており、乗算回路４８（１）の第１入力端と第２入力端との間に９０°移相コンデンサ４８（３）が接続され、乗算回路４８（１）の第２入力端と接地点間にＬＣ並列共振回路４８（２）が接続されたものである。
【０００９】
前記構成を有するこの受信機は、概略、次のように動作する。
【００１０】
ＦＳＫ変調信号を含んだ高周波無線信号（以下、ここでは変調信号を含んだ高周波無線信号を高周波信号という）が受信アンテナ４１で受信されると、受信された高周波信号は、バンドパスフィルタ４２において信号帯域外の不要な周波数成分が除去され、次いで、高周波増幅段４３において所定の信号レベルになるように増幅された後、ミキサ段４４の第１入力端に供給される。このとき、ミキサ段４４の第２入力端には局部発振器４５から出力された局部発振信号が供給され、それによってミキサ段４４において高周波信号と局部発振信号とが周波数混合され、ミキサ段４４から周波数混合信号が出力される。ミキサ段４４の出力周波数混合信号は、中間周波フィルタ４６によってそれら２つの信号の差周波数である中間周波（ＩＦ）信号が抽出され、抽出された中間周波信号は、リミッタアンプ４７において制限増幅された後、次続のクワッドラチャ検波回路４８の乗算回路４８（１）の第１入力端に供給される。これと同時に、中間周波信号は、９０°移相コンデンサ４８（３）により９０°移相され、乗算回路４８（１）の第２入力端に供給される。
【００１１】
クワッドラチャ検波回路４８は、乗算回路４８（１）において、第１入力端に供給された中間周波信号と第２入力端に供給された９０°移相された中間周波信号とが乗算され、その乗算により乗算回路４８（１）からＦＳＫ検波信号が出力される。このＦＳＫ検波信号は、ローパスフィルタ４９においてＦＳＫ検波信号以外の不要な信号成分が除去され、次いで増幅段５０において所要の信号レベルになるように増幅された後、比較器５１に供給される。比較器５１は、増幅したＦＳＫ検波信号からコード化データを発生させ、得られたコード化データを利用回路５２に供給し、利用回路５２の制御が行われる。
【００１２】
前述のような受信機に用いられるクワッドラチャ検波回路４８には、ＬＣ並列共振回路４８（２）の容量素子を電圧可変容量素子にし、増幅段５０の出力から導出されるＡＦＣ（自動周波数制御）信号をＬＣ並列共振回路４８（２）の電圧可変容量素子に加える手段を採用したもの、すなわち、ＬＣ並列共振回路４８（２）の電圧可変容量素子のキャパシタンス値をＡＦＣ信号に応じて変化させることにより、その並列共振周波数を変化させ、クワッドラチャ検波回路４８において検波可能なＦＳＫ信号の信号帯域幅、すなわちこの受信機における受信可能帯域幅を拡げるようにする手段が知られている。
【特許文献１】特開２００２−２７００４号公報
【発明の開示】
【発明が解決しようとする課題】
【００１３】
ところで、ＬＣ並列共振回路にＡＦＣ信号を印加するタイプのクワッドラチャ検波回路は、ＬＣ並列共振回路の電圧可変容量素子に印加されるＡＦＣ電圧の大きさにより、ＦＳＫ検波出力レベルが変化するようになり、そのレベル変化は前段のリミッタアンプ４７の利得を増大させるようにしても殆ど改善されないものであり、かかるレベル変化の小さいクワッドラチャ検波回路の実現が望まれている。
【００１４】
本発明は、このような技術的背景に鑑みてなされたもので、その目的は、ＬＣ並列共振回路にＡＦＣ信号を印加するとともに、９０°移相回路にＡＦＣ信号を印加したレベル補償用電圧可変容量素子を接続し、ＦＳＫ検波出力レベル変化を最小限に抑えることを可能にしたＦＳＫ検波回路を提供することにある。
【課題を解決するための手段】
【００１５】
前記目的を達成するために、本発明によるＦＳＫ検波回路は、第１入力端と第２入力端間に９０°移相回路が接続され、第１入力端にＦＳＫ変調信号が供給され、第２入力端に９０°移相回路を通して９０°移相したＦＳＫ変調信号が供給される乗算回路と、第２入力端に接続され、セラミックディスクリミネータとＡＦＣ信号が印加されたバラクタダイオードとを並列接続したＬＣ並列共振回路とを有するものであって、９０°移相回路にＡＦＣ信号が印加されるレベル補償用バラクタダイオードとコンデンサとの並列接続回路を接続した手段を具備する。
【発明の効果】
【００１６】
以上のように、本発明に係るＦＳＫ検波回路によれば、ＬＣ並列共振回路のバラクタダイオードにＡＦＣ信号を印加してＬＣ並列共振回路の並列共振周波数をＡＦＣ信号とともに変化させ、ＦＳＫ変調信号に対するＬＣ並列共振回路の中間周波信号帯域幅を拡げるとともに、９０°移相回路にＡＦＣ信号が印加されるレベル補償用バラクタダイオードを接続し、ＡＦＣ信号の大きさに応じて９０°移相回路のＦＳＫ変調信号に対する容量分圧比を変化させるようにしているので、それによりＡＦＣ信号の大きさに対応するＦＳＫ検波信号レベル変化を少なくすることができるという効果がある。
【発明を実施するための最良の形態】
【００１７】
以下、本発明の実施の形態を図面を参照して説明する。
【００１８】
図１は、本発明によるＦＳＫ検波回路を用いた受信機の一つの実施の形態であって、受信機の要部構成を示すブロック図である。
【００１９】
図１に示されるように、この実施の形態による受信機は、高周波信号入力端子１と、バンドパスフィルタ（ＢＰＦ）２と、低雑音高周波増幅段（ＬＮＡ）３と、高周波フィルタ（ＲＦ−ＦＩＬ）４と、第１ミキサ段（ＭＩＸ  １）５と、第１中間周波フィルタ（ＩＦ−ＦＩＬ１）６と、第２ミキサ段（ＭＩＸ  ２）７と、第２中間周波フィルタ（ＩＦ−ＦＩＬ２）８と、ＰＬＬ回路（ＰＬＬ）９と、水晶振動子１０と、中間周波増幅段（ＩＦＡ）１１と、リミッタアンプ（ＬＭ）１２と、乗算回路（ＭＰＸ）１３と、ＬＣ並列共振回路１４と、９０°移相回路１５と、第１オペアンプ（ＯＡ１）１６と、比較器（ＣＯＭ）１７と、第２オペアンプ（ＯＡ２）１８と、ローパスフィルタ（ＬＦ）１９と、データ出力端子２０とからなっている。なお、図１において、点線で囲まれた部分は、集積回路（ＩＣ）で構成された部分であり、点線外にある各種の素子は、集積回路に外付けされている素子である。
【００２０】
乗算回路１３とＬＣ並列共振回路１４と９０°移相回路１５とからなる回路部分は、全体でクワッドラチャ検波回路２１を構成している。この場合、ＬＣ並列共振回路１４は、セラミックディスクリミネータ１４（１）とそれに直列接続された直流阻止コンデンサ１４（２）と、バラクタダイオード１４（３）とが並列接続されたもので、バラクタダイオード１４（３）には、第２オペアンプ１８から導出されたＡＦＣ信号がバッファ抵抗１４（４）を通して供給される。９０°移相回路１５は、２個のコンデンサ１５（１）、１５（２）と、それらに直列接続されたレベル補償用バラクタダイオード１５（３）とコンデンサ１５（４）の並列接続回路と、ＡＦＣ信号の帰路抵抗１５（５）とからなっている。また、ローパスフィルタ１９は、それぞれ２個の抵抗１９（１）、１９（２）と２個のコンデンサ１９（３）、１９（４）からなっている。
【００２１】
そして、バンドパスフィルタ２は、入力端が高周波信号入力端子１に、出力端が低雑音高周波増幅段３の入力端に接続される。低雑音高周波増幅段３は、出力端が第１ミキサ段５の第１入力端に接続されるとともに高周波フィルタ４を通して接地接続される。第１ミキサ段５は、出力端が第２ミキサ段７の第１入力端に接続されるとともに第１中間周波フィルタ６を通して接地接続され、第２入力端がＰＬＬ回路９の第１出力端に接続される。第２ミキサ段７は、出力端が第２中間周波フィルタ８を通して中間周波増幅段１１の入力端に接続され、第２入力端がＰＬＬ回路９の第２出力端に接続される。ＰＬＬ回路９は、基準信号入力端に水晶振動子１０が接続される。
【００２２】
また、中間周波増幅段１１は、出力端がリミッタアンプ１２の入力端に接続され、リミッタアンプ１２は、出力端が直接乗算回路１３の第１入力端１３（１）に接続されるとともに９０°移相コンデンサ１５を通して乗算回路１３の第２入力端１３（２）に接続される。乗算回路１３は、第２入力端１３（２）がＬＣ並列共振回路１４を通して接地接続され、出力端が第１オペアンプ１６の入力端に接続される。第１オペアンプ１６は、出力端が比較器１７の入力端に直接接続されるとともにローパスフィルタ１９を通して第２オペアンプ１８の入力端に接続される。この場合、第２オペアンプ１８とローパスフィルタ１９とによりアクティブローパスフィルタが構成されている。比較器１７は、出力端がデータ出力端子２０に接続される。第２オペアンプ１８は、出力端がバッファ抵抗１４（５）を通してバラクタダイオード１４（３）のカソードとレベル補償用バラクタダイオード１５（３）のカソードとに接続される。レベル補償用バラクタダイオード１５（３）は、アノードが帰路抵抗１５（５）を通して接地接続される。
【００２３】
ここで、図１に図示されたこの実施の形態による受信機の動作について説明する。
【００２４】
受信アンテナ（図１に図示なし）で受信されたＦＳＫ変調信号を含んだ高周波無線信号（以下、ここでも変調信号を含んだ高周波無線信号を高周波信号という）が高周波信号入力端子１に供給されると、供給された高周波信号は、バンドパスフィルタ２において信号帯域外の不要な周波数成分が除去され、次いで、低雑音高周波増幅段３において所定の信号レベルになるように増幅される。低雑音高周波増幅段３から出力された高周波信号は、高周波フィルタ４において所定の信号周波数成分だけが抽出され、第１ミキサ段５の第１入力端に供給される。このとき、第１ミキサ段５の第２入力端にはＰＬＬ回路９の第１出力端から出力された第１局部発振信号が供給され、それによって第１ミキサ段５において高周波信号と第１局部発振信号とが周波数混合され、第１ミキサ段５から第１周波数混合信号が出力される。
【００２５】
第１ミキサ段５の出力第１周波数混合信号は、第１中間周波フィルタ６によってそれら２つの信号の差周波数である第１中間周波信号が抽出され、抽出された第１中間周波信号は、第２ミキサ段７の第１入力端に供給される。このときも、第２ミキサ段７の第２入力端にはＰＬＬ回路９の第２出力端から出力された第２局部発振信号が供給され、それによって第２ミキサ段７において第１中間周波信号と第２局部発振信号とが周波数混合され、第２ミキサ段７から第２周波数混合信号が出力される。第２ミキサ段７の出力第２周波数混合信号は、第２中間周波フィルタ８によってそれら２つの信号の差周波数である第２中間周波信号が抽出され、抽出された第２中間周波信号は、中間周波増幅段１１で所定信号レベルになるように増幅され、次いで、リミッタアンプ１２において制限増幅された後、次続のクワッドラチャ検波回路２１の乗算回路１３の第１入力端１３（１）に供給される。それと同時に、第２中間周波信号は、９０°移相回路１５により９０°移相され、乗算回路１３の第２入力端１３（２）に供給される。
【００２６】
クワッドラチャ検波回路２１は、乗算回路１３において、第１入力端１３（１）に供給された第２中間周波信号と第２入力端１３（２）に供給された９０°移相された第２中間周波信号とが乗算され、その乗算によって乗算回路１３の出力端にＦＳＫ検波信号が出力される。乗算回路１３から出力されたＦＳＫ検波信号は、第１オペアンプ１６によって差動増幅され、次いで比較器１７で波形整形されてデータ出力端子２０に供給され、データ出力端子２０から図示されない利用回路に供給される。また、第１オペアンプ１６の出力信号は、ローパスフィルタ１９と第２オペアンプ１８とによって構成されるアクティブローパスフィルタを通してＡＦＣ信号（誤差信号）に変換される。
【００２７】
第２オペアンプ１８から得られたＡＦＣ信号は、バッファ抵抗１４（４）を通してバラクタダイオード１４（３）のカソードとレベル補償用バラクタダイオード１５（３）のカソードにそれぞれ供給され、ＡＦＣ信号に応じてバラクタダイオード１４（３）の容量値とレベル補償用バラクタダイオード１５（３）の容量値とを変化させる。このとき、レベル補償用バラクタダイオード１５（３）は、ＬＣ並列共振回路１４にＡＦＣ信号を供給して中間周波数に同調をとった際に、その同調周波数によってクワッドラチャ検波回路２１の入力信号レベルが変化するのをレベル補償用バラクタダイオード１５（３）の容量値を変化させることにより抑えるようにするもので、ＦＳＫ信号である場合、所定レベル以上の信号が入力されたとき、検波出力はその偏移量に依存する。すなわち、ＬＣ並列共振回路１４に中間周波信号（ＦＳＫ変調信号）が印加されたときに、高い周波数に変った状態であると、ＡＦＣ信号によってバラクタダイオード１４（３）の容量値とレベル補償用バラクタダイオード１５（３）の容量値とを減少させ、中間周波信号（ＦＳＫ変調信号）が低い周波数に変った状態であると、バラクタダイオード１４（３）の容量値とレベル補償用バラクタダイオード１５（３）の容量値とを増加させて入力電圧を上げるように動作する。
【００２８】
ここで、図２は、図１に図示されたクワッドラチャ検波回路２１のレベル変化特性を示す特性図であって、横軸はＶで表わしたバラクタダイオードに加えられるＡＦＣ信号であり、縦軸はｄＢで表わした乗算回路１３の入力レベル、すなわちセラミックディスクリミネータ１４（１）の出力レベルであって、曲線ａは９０°移相回路１５にレベル補償用バラクタダイオード１５（３）とコンデンサ１５（４）との並列回路を接続した場合である。また、曲線ｂはレベル補償用バラクタダイオード１５（３）とコンデンサ１５（４）とを接続しない場合であり、曲線ｃはレベル補償用バラクタダイオード１５（３）を接続したがコンデンサ１５（４）を接続しない場合であって、いずれも曲線ａとの比較のために挙げたものである。
【００２９】
図２の特性図に示されるように、９０°移相回路１５にレベル補償用バラクタダイオード１５（３）とコンデンサ１５（４）との並列回路を接続した場合、曲線ａに示すように、ＬＣ並列共振回路１４のバラクタダイオード１４（３）及び９０°移相回路１５のレベル補償用バラクタダイオード１５（３）に供給されるＡＦＣ信号がその有効変化領域である１．０Ｖから４．５Ｖまで変動すると、クワッドラチャ検波回路２１に入力される中間周波信号レベルが約３ｄＢと約５ｄＢの間の約２ｄＢの範囲内の出力レベル変化を示すだけである。
【００３０】
これに対して、９０°移相回路１５にレベル補償用バラクタダイオード１５（３）とコンデンサ１５（４）とを接続しない場合、バラクタダイオード１４（３）に供給されるＡＦＣ信号がその有効変化領域である１．０Ｖから４．５Ｖまで変動すると、約−１ｄＢと約５ｄＢの間の約６ｄＢの範囲内の出力レベル変化を示し、９０°移相回路１５にレベル補償用バラクタダイオード１５（３）を接続したがコンデンサ１５（４）を接続しない場合、バラクタダイオード１４（３）に供給されるＡＦＣ信号がその有効変化領域である１．０Ｖから４．５Ｖまで変動すると、約−１ｄＢから約１ｄＢを経て約−５ｄＢにいたる約６ｄＢの範囲の出力レベル変化を示すものである。
【００３１】
図２に図示された曲線ａから判るように、９０°移相回路１５にレベル補償用バラクタダイオード１５（３）とコンデンサ１５（４）との並列接続回路を接続すれば、ＡＦＣ信号がその有効変化領域である１．０Ｖから４．５Ｖまで変動しても、クワッドラチャ検波回路２１から出力されるＦＳＫ検波信号出力レベル変化を約２ｄＢ程度に抑えることができ、良好なＦＳＫ検波信号を導出させることができる。
【図面の簡単な説明】
【００３２】
【図１】本発明によるＦＳＫ検波回路を用いた受信機の一つの実施の形態であって、受信機の要部構成を示すブロック図である。
【図２】図１に図示されたクワッドラチャ検波回路が呈するＦＳＫ検波信号レベルのレベル変化特性を示す特性図である。
【図３】特開２００２−２７００４号公報に開示された受信機の要部構成を示すブロック図である。
【符号の説明】
【００３３】
１  高周波信号入力端子
２  バンドパスフィルタ（ＢＰＦ）
３  低雑音高周波増幅段（ＬＮＡ）
４  高周波フィルタ（ＲＦ−ＦＩＬ）
５  第１ミキサ段（ＭＩＸ  １）
６  第１中間周波フィルタ（ＩＦ−ＦＩＬ１）
７  第２ミキサ段（ＭＩＸ  ２）
８  第２中間周波フィルタ（ＩＦ−ＦＩＬ２）
９  ＰＬＬ回路（ＰＬＬ）
１０  水晶振動子
１１  中間周波増幅段（ＩＦＡ）
１２  リミッタアンプ（ＬＭ）
１３  乗算回路（ＭＰＸ）
１３（１）  第１入力端
１３（２）  第２入力端
１４  ＬＣ並列共振回路
１４（１）  セラミックディスクリミネータ
１４（２）  直流阻止コンデンサ
１４（３）  バラクタダイオード
１５  ９０°移相回路
１５（１）１５（２）、１５（４）  コンデンサ
１５（３）  レベル補償用バラクタダイオード
１６  第１オペアンプ（ＯＡ１）
１７  比較器（ＣＯＭ）
１８  第２オペアンプ（ＯＡ２）
１９  ローパスフィルタ（ＬＦ）
２０  データ出力端子
２１  クワッドラチャ検波回路
【図１】
2006033584.tif 000003
【図２】
2006033584.tif 000004
【図３】
2006033584.tif 000005